(57)【要約】バイオセンサが、第１の領域、及び前記第１の領域に隣接して配置される第２の領域が形成される面を有する基板と、前記第１の領域上に配置され、入力される磁界に応じて検出される抵抗値が変化する磁気抵抗効果素子と、前記第１の領域上及び第２の領域上の両方に配置され、前記磁気抵抗効果素子の表面を覆うと共に、前記第２の領域上において最上部に配置され、前記第２の領域上においてのみ外表面に前記生体分子を認識する親和性物質を有する保護膜と、少なくとも前記第１の領域上においてはその最上部に配置され、前記親和性物質を実質的に備えない吸着防止膜と、を備え、前記保護膜及び前記吸着防止膜は互いに異なる材料から構成されている。
2017170236.tif 000002
【特許請求の範囲】
【請求項１】
試料中の生体分子を検出するためのバイオセンサであって、
第１の領域、及び前記第１の領域に隣接して配置される第２の領域が形成される面を有する基板と、
前記第１の領域上に配置され、入力される磁界に応じて検出される抵抗値が変化する磁気抵抗効果素子と、
前記第１の領域上及び第２の領域上の両方に配置され、前記磁気抵抗効果素子の表面を覆うと共に、前記第２の領域上において最上部に配置され、前記第２の領域上においてのみ外表面に前記生体分子を認識する親和性物質を有する保護膜と、
少なくとも前記第１の領域上においてはその最上部に配置され、前記親和性物質を実質的に備えない吸着防止膜と、を備え、
前記保護膜及び前記吸着防止膜は互いに異なる材料から構成されていることを特徴とするバイオセンサ。
【請求項２】
さらに、前記吸着防止膜の外表面に前記生体分子の非特異的吸着を抑制する物質を備えた請求項１に記載のバイオセンサ。
【請求項３】
前記保護膜を構成する材料が貴金属であり、前記吸着防止膜を構成する材料が酸化物である請求項１又は２に記載のバイオセンサ。
【請求項４】
前記保護膜を構成する材料が酸化物であり、前記吸着防止膜を構成する材料が貴金属である請求項１又は２に記載のバイオセンサ。
【請求項５】
前記貴金属が、金、銀、白金、ロジウム、ルテニウム及びパラジウムのうちからなる群から選ばれる少なくとも１種である請求項３又は４に記載のバイオセンサ。
【請求項６】
前記酸化物が、アルミナ、シリカ、酸化チタン、酸化ジルコニウム、酸化インジウム、酸化タルタル、酸化亜鉛、酸化ガリウム及び酸化スズからなる群から選ばれる少なくとも１種である請求項３又は４に記載のバイオセンサ。
【請求項７】
前記非特異的吸着を抑制する物質がチオール基、イソチオシアネート基及びジスルフィド基からなる群から選ばれる少なくとも１つを有する請求項４〜６のいずれか一項に記載のバイオセンサ。
【請求項８】
前記非特異的吸着を抑制する物質がアルコキシシラン基及びホスホン酸基のうち少なくともいずれかを有する請求項３、５、６のいずれか一項に記載のバイオセンサ。
【請求項９】
前記保護膜が複数の膜からなる請求項１〜８のいずれか一項に記載のバイオセンサ。
【請求項１０】
前記吸着防止膜が、前記保護膜を構成する複数の膜のうちの最上部の膜以外の膜上の、前記第１の領域及び第２の領域のいずれにも配置されている請求項９に記載のバイオセンサ。
【請求項１１】
前記吸着防止膜が、前記保護膜を構成する複数の膜のうちの最上部の膜以外の膜上の、前記第１の領域にのみ配置されている請求項９に記載のバイオセンサ。
【請求項１２】
請求項１〜１１のいずれか一項に記載のバイオセンサを備えたことを特徴とするバイオチップ。
【発明の詳細な説明】
【技術分野】
【０００１】
本発明は、バイオセンサ及びバイオチップに関する。
本願は、２０１６年３月２８日に、日本に出願された特願２０１６−０６３４９０号、２０１６年５月２５日に、日本に出願された特願２０１６−１０４４６８号、２０１６年７月２２日に、日本に出願された特願２０１６−１４４１２４号、２０１６年７月２２日に、日本に出願された特願２０１６−１４４１２５号、及び２０１６年７月２２日に、日本に出願された特願２０１６−１４４３５７号基づき優先権を主張し、その内容をここに援用する。
【背景技術】
【０００２】
磁気センサとしては、巨大磁気抵抗効果（ＧＭＲ）素子や磁気トンネル接合（ＴＭＲ）素子や異方性磁気抵抗効果（ＡＭＲ）等の磁気抵抗効果素子を用いることが多い（例えば、特許文献１及び２参照。）。磁気抵抗効果素子は、入力される磁界に応じて出力される抵抗値が変化する素子であり、この出力される抵抗値に基づいて、検出された磁界の変化を計測することができる。【０００３】
図６及び図７は、従来のバイオセンサ５００を説明する図である。図６に示すように、バイオセンサ５００は、基板１０１と、磁気抵抗効果素子１０２と、保護膜１０７と、標的とする生体分子を捕捉する生体分子捕捉層１０９とを、この順に備えている。試料中の生体分子が、生体分子捕捉層１０９に捕捉され、前記生体分子に親和性を有する磁気ビーズが、前記生体分子を介して生体分子捕捉層１０９上に捕捉された後に、磁界を横向きに印加すると（印加磁界１０５）、磁気ビーズ１０４から浮遊磁界１１１が発生し、浮遊磁界１１１が磁気抵抗効果素子１０２に入力される。【０００４】
図７は、従来のバイオセンサ５００に用いられる、従来の磁気抵抗素子１０２の詳細を示した図である。図７に示すように、磁気抵抗効果素子１０２は、三本一組のミアンダ構造を有している。
【先行技術文献】
【特許文献】
【０００５】
【特許文献１】特表２００５−５１３４７５号公報
【特許文献２】特開２００８−０３９７８２号公報
【発明の概要】
【発明が解決しようとする課題】
【０００６】
図７に示すように、ミアンダ構造では、磁気ビーズ１０４が磁気抵抗効果素子１０２上に配置される場合と、磁気抵抗効果素子１０２間に配置される場合とがある。係る配置の違いにより、即ち、磁気抵抗効果素子１０２と磁気ビーズ１０４との相対位置により出力が正負で変動する。そのため、ミアンダ構造の磁気抵抗効果素子の細線上及び細線間の両方に磁気ビーズが存在することで、濃度の測定値にバラツキが生じて、十分な精度が得られない問題点があった。【０００７】
本発明は、上記事情に鑑みてなされたものであって、ミアンダ構造の磁気抵抗効果素子の細線上及び細線間の両方に磁気ビーズが存在することによる測定誤差が回避され、高精度に試料中の生体分子を検出するバイオセンサを提供する。
【課題を解決するための手段】
【０００８】
本発明者らは、上記課題を解決すべく鋭意研究した結果、磁気抵抗効果素子の細線上に、吸着防止膜を配置することにより、磁気抵抗効果素子の細線上及び細線間の両方に磁気ビーズが存在することによる測定誤差を回避できることを見出し、本発明を完成するに至った。【０００９】
すなわち、本発明は、以下の態様を含む。
本発明の第1態様に係るバイオセンサは、試料中の生体分子を検出するためのバイオセンサであって、第１の領域、及び前記第１の領域に隣接して配置される第２の領域が形成される面を有する基板と、前記第１の領域上に配置され、入力される磁界に応じて検出される抵抗値が変化する磁気抵抗効果素子と、前記第１の領域上及び第２の領域上の両方に配置され、前記磁気抵抗効果素子の表面を覆うと共に、前記第２の領域上において最上部に配置され、前記第２の領域上においてのみ外表面に前記生体分子を認識する親和性物質を有する保護膜と、少なくとも前記第１の領域上においてはその最上部に配置され、前記親和性物質を実質的に備えない吸着防止膜と、を備え、前記保護膜及び前記吸着防止膜は互いに異なる材料から構成されている。【００１０】
上記態様に係るバイオセンサは、前記吸着防止膜の外表面に前記生体分子の非特異的吸着を抑制する物質をさらに備えてもよい。
前記保護膜を構成する材料が貴金属であり、前記吸着防止膜を構成する材料が酸化物であってもよい。
前記保護膜を構成する材料が酸化物であり、前記吸着防止膜を構成する材料が貴金属であってもよい。
前記貴金属が、金、銀、白金、ロジウム、ルテニウム及びパラジウムのうちからなる群から選ばれる少なくとも１種であってもよい。
前記酸化物が、アルミナ、シリカ、酸化チタン、酸化ジルコニウム、酸化インジウム、酸化タルタル、酸化亜鉛、酸化ガリウム及び酸化スズからなる群から選ばれる少なくとも１種であってもよい。【００１１】
前記非特異的吸着を抑制する物質がチオール基、イソチオシアネート基及びジスルフィド基からなる群から選ばれる少なくとも１つを有してもよい。
前記非特異的吸着を抑制する物質がアルコキシシラン基及びホスホン酸基のうち少なくともいずれかを有してもよい。【００１２】
前記保護膜が複数の膜からなってもよい。
前記吸着防止膜が、前記保護膜を構成する複数の膜のうちの最上部の膜以外の膜上の、前記第１の領域及び第２の領域のいずれにも配置されていてもよい。
前記吸着防止膜が、前記保護膜を構成する複数の膜のうちの最上部の膜以外の膜上の、前記第１の領域にのみ配置されていてもよい。【００１３】
本発明の第２態様に係るバイオチップは、上記第１態様に係るバイオセンサを備える。
【発明の効果】
【００１４】
本発明の上記態様によれば、ミアンダ構造の磁気抵抗効果素子の細線上及び細線間の両方に磁気ビーズが存在することによる測定誤差が回避され、高精度に試料中の生体分子を検出することができる。
【図面の簡単な説明】
【００１５】
【図１】本発明の第１実施形態に係るバイオセンサを模式的に示す斜視図である。
【図２】本発明の第１実施形態に係るバイオセンサを模式的に示す断面図である。
【図３】本発明の第２実施形態に係るバイオセンサを模式的に示す断面図である。
【図４】本発明の第３実施形態に係るバイオセンサを模式的に示す断面図である。
【図５】本発明の第４実施形態に係るバイオセンサを模式的に示す断面図である。
【図６】従来の磁気検出型バイオセンサの断面図である。
【図７】従来の磁気検出型バイオセンサの斜視図である。
【発明を実施するための形態】
【００１６】
◇バイオセンサ
本発明の一実施形態に係るバイオセンサは、基板と、磁気抵抗効果素子と、保護膜と、吸着防止膜とを備える。
基板は、第１の領域、及び前記第１の領域に隣接して配置される第２の領域が形成される面を有する。
磁気抵抗効果素子は、前記第１の領域上に配置され、入力される磁界に応じて検出される抵抗値が変化するように構成されている。
保護膜は、前記第１の領域上及び第２の領域上の両方に配置され、前記磁気抵抗効果素子の表面を覆うと共に、前記第２の領域上において最上部に配置されている。また、保護膜は、前記第２の領域上においてのみ外表面に前記生体分子を認識する親和性物質を有する。
吸着防止膜は、少なくとも前記第１の領域上においてはその最上部に配置され、前記親和性物質を実質的に備えない。
前記保護膜及び前記吸着防止膜は互いに異なる材料から構成されている。
【００１７】
なお、本明細書において、「バイオセンサ」とは、酵素、抗原、抗体、核酸（ＤＮＡ，ＲＮＡ等に限らず、例えば、ＬＮＡ等の人工核酸も含む。）等の生体材料（天然由来であってもよく、化学合成したものであってもよい。）を感知するセンサを意味する。
また、「吸着防止膜」とは、ミアンダ構造の磁気抵抗効果素子の細線上に生体分子、又は磁気ビーズが吸着するのを防止するための膜を意味する。
【００１８】
本実施形態のバイオセンサは、少なくとも前記第１の領域において最上部に配置され、前記親和性物質を実質的に備えない吸着防止膜を備える。これにより、ミアンダ構造の磁気抵抗効果素子の細線上及び細線間の両方に磁気ビーズが存在することによる測定誤差が回避され、高精度に試料中の生体分子を検出することができる。
【００１９】
本明細書において、「親和性物質を実質的に備えない」とは、親和性物質を全く含まない、又は、例えば、吸着防止膜上に非特異的に親和性物質が吸着した場合において、生体分子を捕捉することができない程度の量しか備えていない状態を意味する。
【００２０】
◎バイオセンサの構造
本実施形態のバイオセンサを構造の違いごとに、以下、図面を参照しながら説明する。なお、以下の説明で用いる図は、本発明の特徴を分かり易くするために、便宜上、要部となる部分を拡大して示している場合があり、各構成要素の寸法比率等が実際と同じであるとは限らない。
【００２１】
＜第１実施形態＞
図１は、本発明の第１実施形態に係るバイオセンサを模式的に示す斜視図である。
図１に示すように、磁気抵抗効果素子１２は、三本一組のミアンダ構造を有し、磁気抵抗効果素子１２の細線上に吸着防止膜１６が配置されている。
また、図２は、本発明のバイオセンサの一実施形態を模式的に示す断面図であり、図１に示したバイオセンサのＸ−Ｘ’の断面図である。
以下にて記述する、第１の領域、第２の領域、第１の平面、第２の平面は仮想的な領域又は平面で、領域又は平面上の部材の位置関係を定義するために便宜的に導入したものである。なお、本実施形態のバイオセンサ上において、第１の領域及び第２の領域は、交互に繰り返し存在している。
【００２２】
本実施形態のバイオセンサ１００は、試料中の生体分子を検出する。
バイオセンサ１００は、基板１１と磁気抵抗効果素子１２と保護膜１７と吸着防止膜１６とを備える。
基板１１は、第１の領域Ａ、及び前記第１の領域Ａに隣接して配設される第２の領Ｂ域が形成される面を有する。
磁気抵抗効果素子１２は、第１の領域Ａ上に配置され、入力される磁界に応じて検出される抵抗値が変化するように構成されている。
保護膜１７は、第１の領域Ａ上及び第２の領域Ｂ上の両方に配置され、磁気抵抗効果素子１２の表面を覆うと共に、第２の領域Ｂ上において最上部に配置されている。また、保護膜１７は、第２の領域Ｂ上においてのみ外表面に生体分子を認識する親和性物質１９（以下、「第１の親和性物質」と称することがある。）を有する。
吸着防止膜１６は、少なくとも第１の領域Ａ上においてはその最上部に配置され、親和性物質１９を実質的に備えない。
保護膜１７及び吸着防止膜１６は互いに異なる材料から構成されている。
吸着防止膜１６が親和性物質１９を実質的に備えず、保護層１７と異なる材料から構成されている。これにより、生体分子又は磁気ビーズ１４の吸着防止膜への吸着を抑制することができる。さらに、ミアンダ構造の磁気抵抗効果素子の細線上及び細線間の両方に磁気ビーズが存在することによる測定誤差が回避され、高精度に試料中の生体分子を検出することができる。
【００２３】
ここで、磁気抵抗効果素子１２の配置について、図２を用いて説明する。図２に示すように、吸着防止膜１６が第１領域Ａの幅方向（紙面の左右方向）全体に拡がる構成であるが、かかる構成の場合に、磁気抵抗効果素子１２は第１の領域Ａの幅方向全体又は一部に拡がるように配置された構成であればよい。中でも、磁気抵抗効果素子１２が第１の領域Ａの幅方向の一部に拡がるように配置された、すなわち、磁気抵抗効果素子１２よりも吸着防止膜１６のほうが第１領域Ａの幅方向に拡がるように配置する構成であると、製造の容易さの観点で好ましい。
【００２４】
さらに、本実施形態においては、前記第１の親和性物質１９の前記生体分子認識部位とは異なる部位を認識する第２の親和性物質（図示せず）を備えた磁気ビーズ１４が、前記保護膜１７上に、第１の親和性物質−生体分子−第２の親和性物質複合体を介して集積し、磁界を横向きに印加すると（印加磁界１５）、磁気ビーズ１４から浮遊磁界が発生し、浮遊磁界が磁気抵抗効果素子１２に入力される。
【００２５】
図２に示すように、磁気抵抗効果素子１２の表面は、吸着防止膜１６で覆われており、一方、第２の領域Ｂ上において、保護膜１７の外表面は、検出対象の生体分子を捕捉する第１の親和性物質１９を備えている。磁気ビーズ１４も生体分子を捕捉する第２の親和性物質（図示せず）を備えている。第１の親和性物質１９と第２の親和性物質は、互いに生体分子中の異なる部位を認識する。即ち、第１の親和性物質−生体分子−第２の親和性物質複合体の形成を可能とする。
さらに、図１に示すように、基板１１の主面から離間して位置する平面上であって、磁気抵抗効果素子１２の直上に電極端子が配置される。電極端子は、磁気抵抗効果素子１２と接する位置に配置されることで接続されている。
【００２６】
＜第２実施形態＞
図３は、本発明の第２実施形態に係るバイオセンサを模式的に示す断面図である。なお、図３以降の図において、既に説明済みの図に示すものと同じ構成要素には、その説明済みの図の場合と同じ符号を付し、その詳細な説明は省略する。
【００２７】
バイオセンサ２００は、保護膜が複数の膜からなる点以外は、図１に示すバイオセンサ１００と同じものである。すなわち、バイオセンサ２００においては、基板１１の一方の表面に第２の保護膜２０が積層される。また、第２の保護膜２０内の第１の平面aに磁気抵抗効果素子１２が配置される。また、磁気抵抗効果素子１２の表面である第２の平面ｂ上に第２の保護膜２０が積層される。また、第２の保護膜２０の表面に第１の領域Ａ上及び第２の領域Ｂ上の両方に保護膜１７が積層される。さらに、第１の領域Ａ上における保護膜１７の表面に吸着防止膜１６が積層される。また、第２の領域Ｂ上における保護膜１７の表面に親和性物質１９を備えている。換言すると、磁気抵抗効果素子１２上に第１の領域Ａ上及び第２の領域Ｂ上の両方に、第２の保護膜２０と保護膜１７とがこの順で積層される。また、第１の領域Ａ上における保護膜１７の表面に吸着防止膜１６が積層されている。
【００２８】
バイオセンサ２００において、吸着防止膜１６は親和性物質１９を実質的に備えず、吸着防止膜１６と保護膜１７及び第２の保護膜２０とは、異なる材料から構成されている。
【００２９】
図３に示すバイオセンサ２００は、図２に示すバイオセンサ１００と同様の原理に基づき、試料中の生体分子の検出に使用される。
【００３０】
＜第３実施形態＞
図４は、本発明のバイオセンサのさらに他の実施形態を模式的に示す断面図である。
バイオセンサ３００は、吸着防止膜が第１の領域Ａ上及び第２の領域Ｂ上の両方に配置されている点以外は、図３に示すバイオセンサ２００と同じものである。すなわち、バイオセンサ３００においては、基板１１の一方の表面に第２の保護膜２０が積層される。また、第２の保護膜２０内の第１の平面aに磁気抵抗効果素子１２が配置される。また、磁気抵抗効果素子１２の表面である第２の平面ｂ上に第２の保護膜２０が積層される。また、第２の保護膜２０の表面に第１の領域Ａ上及び第２の領域Ｂ上の両方に吸着防止膜１６が積層される。また、第２の領域Ｂ上における吸着防止膜１６の表面に保護膜１７が積層される。また、第２の領域Ｂ上における保護膜１７の表面に親和性物質１９を備えている。換言すると、第２の領域Ｂにおいて、吸着防止膜１６は、第２の保護膜２０と保護膜１７とにはさまれた状態で配置されている。
【００３１】
バイオセンサ３００において、吸着防止膜は親和性物質１９を実質的に備えず、吸着防止膜１６と保護膜１７及び第２の保護膜２０とは、異なる材料から構成されている。
【００３２】
図４に示すバイオセンサ３００は、図２に示すバイオセンサ１００と同様の原理に基づき、試料中の生体分子の検出に使用される。
【００３３】
＜第４実施形態＞
図５は、本発明の第４実施形態に係るバイオセンサを模式的に示す断面図である。
バイオセンサ４００は、吸着防止膜１６が第１の領域Ａ上において最上部に配置されており、保護膜１７が第２の領域Ｂ上において最上部に配置されている点以外は、図３に示すバイオセンサ２００と同じものである。すなわち、バイオセンサ４００においては、基板１１の一方の表面に第２の保護膜２０が積層される。また、第２の保護膜２０内の第１の平面aに磁気抵抗効果素子１２が配置される。また、磁気抵抗効果素子１２の表面である第２の平面ｂ上に第２の保護膜２０が積層される。また、第１の領域Ａ上において第２の保護膜２０の表面に吸着防止膜１６が積層される。また、第２の領域Ｂ上において第２の保護膜２０の表面に保護膜１７が積層される。また、第２の領域Ｂ上における保護膜１７の表面に親和性物質１９を備えている。換言すると、第１の領域Ａ上における最上部に吸着防止膜１６が配置され、第２の領域Ｂ上における最上部に保護膜１７が配置されている。
【００３４】
バイオセンサ４００において、吸着防止膜１６は親和性物質１９を実質的に備えず、吸着防止膜１６と保護膜１７及び第２の保護膜２０とは、異なる材料から構成されている。
【００３５】
図５に示すバイオセンサ４００は、図２に示すバイオセンサ１００と同様の原理に基づき、試料中の生体分子の検出に使用される。
【００３６】
本実施形態に係るバイオセンサは、図１〜５に示すものに限定されず、その効果を損なわない範囲内において、図１〜５に示すものの一部の構成が変更又は削除されたものや、これまでに説明したものにさらに他の構成が追加されたものであってもよい。
例えば、図１〜５に示すバイオセンサにおいては、磁気抵抗効果素子がない最上部全てに吸着防止膜を配置してもよい。
【００３７】
◎バイオセンサの各構成
以下、本実施形態のバイオセンサの各構成について、詳細に説明する。
【００３８】
○基板
基板の材料としては、例えば、シリコンやＡｌＴｉＣ（アルティック）等の半導体や導電体、又はアルミナやガラス等の絶縁体から構成されるものが挙げられ、その形態は特に問われるものではない。
基板の厚さは、特に限定はないが、例えば４００μｍ以上２０００μｍ以下であればよい。基板の厚さがこのような範囲であることで、適度な強度を有し、薄型化及び軽量化されたバイオセンサを得ることができる。
ここで、「基板の厚さ」とは、基板全体の厚さを意味し、例えば、複数層からなる基板の厚さとは、基板を構成するすべての層の合計の厚さを意味する。
【００３９】
○磁気抵抗効果素子
磁気抵抗効果素子は、磁界の影響を受けて電気抵抗が変わる現象を利用する素子であれば特に制限はなく、積層面内の一定方向に固着された磁化方向を有する磁化固定層と、外部磁界に応じて磁化方向が変化する磁化自由層と、を備えたタイプの素子であることが好ましい。また、磁気抵抗効果素子において、磁化固定層の磁化固定方向は、磁気ビーズ励磁のために印加される磁界（印加磁界１５）と、略平行又は略反平行であり、かつ、前記磁気抵抗効果素子の膜面方向であることが好ましい。
本実施形態において、略平行又は略反平行とは、凡そ平行又は反平行であればよく、０．１°以上１０゜以下の範囲でずれていてもよい。
さらに、磁気抵抗効果素子は、磁化固定層と、非磁性体の導体又は絶縁体からなる中間層と、磁化自由層と、を含み、磁化固定層と磁化自由層とで中間層を挟む積層体を有していることがより好ましい。
なお、中間層が非磁性体の導体の場合、磁気抵抗効果素子は、一般にＧＭＲ（巨大磁気抵抗効果素子）と呼ばれ、絶縁体の場合、ＴＭＲ（トンネル型磁気抵抗効果素子）と呼ばれる。磁気抵抗効果素子の抵抗は、磁化固定層の磁化方向と磁化自由層の平均の磁化方向の角度に応じて変化する。一般に、磁化固定層の磁化方向を感磁方向と定義する。
【００４０】
磁化自由層は、例えば、ＮｉＦｅ等の軟磁性膜から構成される。中間層は、例えば、Ｃｕ等の導電体膜、又は、アルミナ−酸化マグネシウム等の絶縁体膜から構成される。
磁化固定層は、反強磁性膜と磁化固定膜からなり、磁化固定膜が中間層と接する。反強磁性膜は、例えばＩｒＭｎやＰｔＭｎ等の反強磁性Ｍｎ合金等から構成される。磁化固定膜は、例えば、ＣｏＦｅやＮｉＦｅ等の強磁性体から構成されるか、或いは、Ｒｕの薄膜層をＣｏＦｅ等で挟む構成をとってもよい。
【００４１】
○磁気ビーズ
磁気ビーズは、磁性を帯びている粒子であれば特に限定されず、例えば酸化鉄粒子が挙げられる。磁気ビーズの直径としては、保護膜の面積との兼ね合いによるが、例えば、０．０１μｍ以上１００μｍ以下が好ましく、０．０５μｍ以上５０μｍ以下がより好ましく、０．１μｍ以上５μｍ以下が特に好ましい。
磁性ビーズは、生体分子と特異的に結合する第二の親和性物質を備え、第二の親和性物質を介して生体分子を捕捉する。磁性ビーズは、第二の親和性物質がコーティング処理等により付加されたものであってもよく、第二の親和性物質自体からなるものであってもよい。
磁気ビーズの表面は、捕捉する生体分子に応じて、ポリマーやシリカマトリックスでコーティング処理されることが好ましい。生体分子としてリガンドを捕捉したい場合には、磁気ビーズの表面は親水性であることが好ましく、生体分子として抗体を捕捉したい場合には、磁気ビーズの表面は疎水性であることが好ましい。
【００４２】
○保護膜
保護膜は、磁気抵抗効果素子を保護可能であるものであれば特に限定されない。保護膜の材料は、例えばアルミナ、シリカ、酸化チタン、酸化ジルコニウム、酸化インジウム、酸化タルタル、酸化亜鉛、酸化ガリウム、酸化スズ等の酸化物；金、銀、白金、ロジウム、ルテニウム、パラジウム等の貴金属；窒化アルミ、窒化シリコン等の無機物や、ポリイミド等の有機物が挙げられる。
【００４３】
保護膜は１層（単層）からなるものでもよいし、２層以上の複数層からなるものでもよい。また、保護膜が複数層からなる場合、これら複数層は、互いに同一でも異なっていてもよく、これら複数層の組み合わせは特に限定されない。
【００４４】
保護膜の厚さは、１ｎｍ以上１０００ｎｍ以下であることが好ましく、１ｎｍ以上１００ｎｍ以下であることがより好ましく、１ｎｍ以上１５ｎｍ以下であることが特に好ましい。
ここで、「保護膜の厚さ」とは、保護膜全体の厚さを意味し、例えば、複数層からなる保護膜の厚さとは、保護膜を構成するすべての層の合計の厚さを意味する。
【００４５】
保護膜の外表面は、試料中の生体分子と接触する表面である。この外表面は、検出対象の生体分子と特異的に結合する第１の親和性物質を備えている。また、磁気ビーズも生体分子と特異的に結合する第２の親和性物質を備えている。
これら親和性物質を備えることにより、検出対象の生体分子が試料中（検体中）に存在する場合にのみ、生体分子が保護膜の外表面に第１の親和性物質を介して固定される。次いで、磁気ビーズが第２の親和性物質を介して生体分子と結合することにより、磁気ビーズが保護膜表面に固定される。
【００４６】
検出対象の生体分子としては、例えば、ＤＮＡ、ｍＲＮＡ、ｍｉＲＮＡ、ｓｉＲＮＡ、人工核酸（例えば、ＬＮＡ（Ｌｏｃｋｅｄ  Ｎｕｃｌｅｉｃ  Ａｃｉｄ）、ＢＮＡ（Ｂｒｉｄｇｅｄ  Ｎｕｃｌｅｉｃ  Ａｃｉｄ））等の核酸（天然由来であってもよく、化学合成したものであってもよい。）；リガンド、サイトカイン、ホルモン等のペプチド；受容体、酵素、抗原、抗体等のタンパク質；細胞、ウイルス、細菌、真菌等が挙げられる。
検出対象の生体分子を含む試料としては、血液、血清、血漿、尿、パフィーコート、唾液、精液、胸部滲出液、脳脊髄液、涙液、痰、粘液、リンパ液、腹水、胸水、羊水、膀胱洗浄液、気管支肺胞洗浄液、細胞抽出液、細胞培養上清等が挙げられる。
また、検出対象の生体分子としては、検出対象となる生体分子に別の生体分子を複合体化させたもの、又は、検出対象となる生体分子を別の生体分子に変換したものであってもよい。例えば、ＲＮＡに対して、ビオチンを末端に有するＤＮＡをハイブリダイゼーションにより複合体化させたもの（以下、「ＲＮＡ−ＤＮＡ−ビオチン複合体」と称する場合がある。）等が挙げられる。複合体化によりＲＮＡにビオチンが付加されたことにより、ストレプトアビジンと特異的に結合することが可能となる。よって、例えば、ＲＮＡ−ＤＮＡ−ビオチン複合体に含まれるＲＮＡ、又はＤＮＡがハイブリダイズしていない核酸部分に対し、ハイブリダイズし得るＲＮＡ、又はＤＮＡを第１の親和性物質として用いることで、本実施形態のバイオセンサ上に捕捉し、さらに、ストレプトアビジンを第２の親和性物質して用いることにより、前記ＲＮＡ−ＤＮＡ−ビオチン複合体を特異的に検出することができる。
【００４７】
生体分子と特異的に結合する第１の親和性物質及び第２の親和性物質としては、検出対象の生体分子が核酸の場合には、この核酸に相補的な核酸が挙げられる。検出対象の生体分子が抗原の場合には、抗原に親和性を有する抗体が挙げられる。検出対象の生体分子が１次抗体の場合には、この１次抗体に親和性を有する抗原、２次抗体が挙げられる。検出対象の生体分子が細胞、ウイルス、細菌、真菌等の場合には、これらの表面に提示されている抗原を認識する抗体が挙げられる。
検出対象の生体分子が、血液中に存在するｍｉＲＮＡの場合、第１の親和性物質としては、例えばこのｍｉＲＮＡの５’端１０塩基に相補的な第一の核酸が挙げられ、第２の親和性物質としては、このｍｉＲＮＡの３’端１０塩基に相補的な第２の核酸が挙げられる。
検出対象の生体分子が、血液中に存在する抗原タンパク質の場合、第１の親和性物質としては、例えばこの抗原タンパク質を認識する第１の抗体が挙げられ、第２の親和性物質としては、この抗原タンパク質を認識し、第１の抗体とはエピトープが異なる第２の抗体が挙げられる。
【００４８】
第１の親和性物質が抗体である場合、該抗体は、例えば、マウス等のげっ歯類の動物に標識ペプチドを抗原として免疫することによって作製することができる。また、例えば、ファージライブラリーのスクリーニングにより作製することができる。抗体は、抗体断片でもよく、該抗体断片としては、Ｆｖ、Ｆａｂ、ｓｃＦｖ等が挙げられる。
【００４９】
上述の説明では保護膜表面に固定された生体分子に磁気ビーズが結合する例を挙げたが、本実施形態では、これに限定されず、予め磁気ビーズに検出対象の生体分子を結合させておき、これを試料として保護膜表面に接触させてもよい。
磁気抵抗効果素子を覆う保護膜表面への磁気ビーズの固定方法は、従来の又は今後開発されるべきあらゆる技術が適用可能であり、磁気ビーズを測定することで間接的に検出対象の生体分子の存在を検出できるように構成されるものであれば、いかなる手法であっても構わない。
【００５０】
＜＜保護膜における親和性物質の固定化方法＞＞
保護膜表面における親和性物質の固定化方法としては、例えば、最上部に配置された保護膜の構成材料が貴金属である場合、親和性物質由来の、若しくは親和性物質に導入された、チオール基、イソチオシアネート基又はジスルフィド基と貴金属表面とがチオレート結合を形成し、親和性物質を固定化することができる。
【００５１】
また、最上部に配置された保護膜の構成材料が酸化物である場合、親和性物質に結合可能な官能基を有するシランカップリング剤又はホスホン酸誘導体を介して、親和性物質を固定化することができる。
前記官能基としては、親和性物質と共有結合又は非共有結合が可能な基であれば特に限定されず、例えば、化学的に活性な（つまり第１の親和性物質との反応性が高くなるように活性化された）基、受容体基、リガンド基等が挙げられる。親和性物質は、官能基と共有結合又は非共有結合が可能となるように修飾されていてもよい。
【００５２】
具体的な例としては、活性化されたカルボキシル誘導基、カルボキシル基、アルデヒド基、エポキシ基、ビニルスルホン基、ビオチニル基、チオール基、アミノ基、イソシアネート基、イソチオシアネート基、ヒドロキシル基、アクリレート基、マレイミド基、ヒドラジド基、アミノオキシ基、アジド基、アミド基、スルホネート基、アビジン、ストレプトアビジン、金属キレート等が挙げられ、これらに限定されない。これらの中でも、一般的に親和性物質のうち多くがアミノ基を有するため、該アミノ基との反応性の点から、アルデヒド基、活性化されたカルボキシル誘導基、エポキシ基、ビニルスルホン基が好ましく、また結合定数が高いビオチニル基も好ましい。特に、第１の親和性物質がアミノ基を有し、該アミノ基を介して結合させる場合には、アミノ基との反応性と保存安定性のバランスから、活性化されたカルボキシル誘導基が好ましい。一方で、第１の親和性物質がアルデヒド基を有し、該アルデヒド基を介して結合させる場合には、反応性が高いため、アミノオキシ基又はヒドラジド基が好ましい。
【００５３】
前記ホスホン酸誘導体としては、例えば、アルキルホスホン酸、アルケニルホスホン酸、フェニルホスホン酸等を挙げられる。前記ホスホン酸誘導体として、より具体的には、ビニルホスホン酸（ＣＨ２＝ＣＨ−ＰＯ３Ｈ２）、プロペン−１−ホスホン酸（ＣＨ３−ＣＨ＝ＣＨ−ＰＯ３Ｈ２）、プロペン−２−ホスホン酸（ＣＨ２＝ＣＨ（ＣＨ３）−ＰＯ３Ｈ２）等が挙げられ、これらに上記官能基が導入されたものであればよい。前記官能基を有するホスホン酸誘導体としては、例えば、２，５−ジカルボキシフェニルホスホン酸、３，５−ジカルボキシフェニルホスホン酸、２，５−ビスホスホノテレフタル酸等が挙げられる。
【００５４】
前記官能基を有するシランカップリング剤としては、例えば、トリメトキシシリル安息香酸、γ−メタクリロキシプロピルトリメトキシシラン、ビニルトリアセトキシシラン、ビニルトリメトキシシラン、γ−イソシアナートプロピルトリエトキシシラン、γ−グリシドキシプロピルトリメトキシシラン、β−（３，４−エポキシシクロヘキシル）エチルトリメトキシシラン、トリス−（３−トリメトキシシリルプロピル）イソシアヌレート、メタクリロキシプロピルジメチルメトキシシラン、メタクリロキシプロピルジメチルエトキシシラン、メタクリロキシプロピルメチルジメトキシシラン、メタクリロキシプロピルメチルジエトキシシラン、メタクリロキシプロピルトリメトキシシラン、メタクリロキシプロピルトリエトキシシラン、３−メルカプトプロピルトリメトキシシラン、３−メルカプトプロピルトリエトキシシラン、３−メルカプトプロピルメチルジメトキシシラン、３−メルカプトプロピルメチルジエトキシシラン、３−メルカプトプロピルジメチルメトキシシラン、３−メルカプトプロピルジメチルエトキシシラン、メルカプトエチルトリエトキシシラン等が挙げられる。
【００５５】
より具体的な保護膜表面への親和性物質の固定化方法については、親和性物質の種類に応じて、公知の方法に従って当業者が決定できる。例えば、親和性物質を含有する溶液を、親和性物質と共有結合する官能基を備えたシランカップリング剤又はホスホン酸誘導体とともに保護膜に接触させる方法等が挙げられる。
例えば、保護膜を構成する材料が酸化物であり、カルボキシル基を有するシランカップリング剤を介して、アミノ基を有する親和性物質を固定化する場合には、保護膜表面が、第１の親和性物質及びシランカップリング剤をｐＨ７．０以上１０．０以下の一般的な緩衝液に混合した溶液に接触する状態で所定時間インキュベートすることにより、親和性物質が有するアミノ基と、シランカップリング剤が有するカルボキシル基とを反応させてアミド結合を形成させ、さらにシランカップリング剤と保護膜表面とを反応させてエーテル結合を形成させることで、親和性物質を保護膜の外表面上に固定化することができる。該緩衝液としては、例えば、リン酸緩衝液、トリス緩衝液等が挙げられる。
【００５６】
○吸着防止膜
吸着防止膜は、ミアンダ構造の磁気抵抗効果素子の細線上に生体分子、又は磁気ビーズが吸着するのを防止することができるものであれば特に限定されない。吸着防止膜の材料は、例えばアルミナ、シリカ、酸化チタン、酸化ジルコニウム、酸化インジウム、酸化タルタル、酸化亜鉛、酸化ガリウム、酸化スズ等の酸化物；金、銀、白金、ロジウム、ルテニウム、パラジウム等の貴金属等の無機物が挙げられる。
【００５７】
また、前記保護膜を構成する材料が貴金属である場合、吸着防止膜を構成する材料が酸化物であることが好ましい。一方、前記保護膜を構成する材料が酸化物である場合、吸着防止膜を構成する材料が貴金属であることが好ましい。
前記保護膜と前記吸着防止膜を構成する材料が異なり、さらに上記組み合わせであることにより、保護膜にのみ選択的に親和性物質が固定化される。また、吸着防止膜は親和性物質を実質的に備えず、吸着防止膜への生体分子又は磁気ビーズの非特異的な吸着が抑制される。そのため、ミアンダ構造の磁気抵抗効果素子の細線上及び細線間の両方に磁気ビーズが存在することによる測定誤差が回避され、高精度に試料中の生体分子を検出することができる。
【００５８】
吸着防止膜は１層（単層）からなるものでもよいし、２層以上の複数層からなるものでもよい。また、吸着防止膜が複数層からなる場合、これら複数層は、互いに同一でも異なっていてもよく、これら複数層の組み合わせは特に限定されない。
【００５９】
吸着防止膜の厚さは、１ｎｍ以上１０００ｎｍ以下であることが好ましく、１ｎｍ以上１００ｎｍ以下であることがより好ましく、１ｎｍ以上１５ｎｍ以下であることが特に好ましい。
ここで、「吸着防止膜の厚さ」とは、吸着防止膜全体の厚さを意味し、例えば、複数層からなる吸着防止膜の厚さとは、吸着防止膜を構成するすべての層の合計の厚さを意味する。
【００６０】
さらに、吸着防止膜は、外表面に生体分子の非特異的吸着を抑制する物質（非特異的吸着抑制物質）を備えることが好ましい。吸着防止膜は、非特異的吸着抑制物質を備えることにより、生体分子又は磁気ビーズの非特異的な吸着をより効果的に抑制することができる。
【００６１】
非特異的吸着抑制物質としては、末端に吸着防止膜への固定化基と、もう一方の末端、又は化合物中に生体親和性基とを有するものであれば、単量体であっても、重合体であってもよい。
【００６２】
前記固定化基としては、吸着防止膜を構成する材料が貴金属である場合は、例えば、チオール基、イソチオシアネート基、ジスルフィド基等が挙げられる。一方、前記固定化基としては、吸着防止膜を構成する材料が酸化物である場合は、例えば、アルコシキシラン基、ホスホン酸基等が挙げられる。
【００６３】
前記生体親和性基は、優れた非特異吸着抑制効果を有する。前記生体親和性基として、具体的には、ホスホリルコリン基、（ポリ）アルキレングリコール残基、スルホアルキルアミノ基等が挙げられる。本実施形態における非特異的吸着抑制物質としては、例えば、これらの生体親和性基を有する単量体を重合することで、生体親和性基を有する高分子化合物を製造し、用いてもよい。
【００６４】
前記非特異的吸着抑制物質が単量体である場合、前記非特異的吸着抑制物質は分子自己組織化（ＭＳＡ：ｍｏｌｅｃｕｌａｒ  ｓｅｌｆａｓｓｅｍｂｌｙ）し、単分子膜を形成するものである。
本明細書において、「分子自己組織化」とは、外的要因からの制御を受けずに、分子自身で自然に組織や構造を構築することを意味する。
本実施形態における非特異的吸着抑制物質は、ファンデルワールス結合等の弱い分子間結合を利用して、非特異的吸着抑制物質同士が整列し、結合して１つの単分子膜（自己組織化単分子層（ＳＡＭｓ：Ｓｅｌｆ−Ａｓｓｅｍｂｌｅｄ  Ｍｏｎｏｌａｙｅｒｓ））を形成するものである。
【００６５】
ホスホリルコリン基を有する単量体としては、例えば、２−メタクリロイルオキシエチルホスホリルコリン、６−メタクリロイルオキシヘキシルホスホリルコリン等の（メタ）アクリロイルオキシアルキルホスホリルコリン；２−メタクリロイルオキシエトキシエチルホスホリルコリン及び１０−メタクリロイルオキシエトキシノニルホスホリルコリン等の（メタ）アクリロイルオキシアルコキシアルキルホスホリルコリン；アリルホスホリルコリン、ブテニルホスホリルコリン、ヘキセニルホスホリルコリン、オクテニルホスホリルコリン、デセニルホスホリルコリン等のアルケニルホスホリルコリン等が挙げられる。本実施形態の非特異的吸着抑制物質としては、これらのホスホコリン基とは反対側の末端に前記固定化基を導入して用いればよい。
【００６６】
本明細書において、「アルキレングリコール残基」とは、アルキレングリコール（ＨＯ−Ｒ−ＯＨ、ここでＲはアルキレン基）の片側末端又は両末端の水酸基が他の化合物と縮合反応した後に残る、アルキレンオキシ基（−Ｒ−Ｏ−、ここでＲはアルキレン基）を意味する。例えば、メチレングリコール（ＨＯ−ＣＨ２−ＯＨ）の場合のアルキレングリコール残基はメチレンオキシ基（−ＣＨ２−Ｏ−）であり、エチレングリコール（ＨＯ−ＣＨ２ＣＨ２−ＯＨ）の場合のアルキレングリコール残基はエチレンオキシ基（−ＣＨ２ＣＨ２−Ｏ−）である。また、「ポリアルキレングリコール残基」とは、アルキレンオキシ基が複数繰り替えされた構造を意味する。
【００６７】
アルキレングリコール残基を有する単量体としては、例えば、メトキシポリエチレングリコール（メタ）アクリレート、エトキシポリエチレングリコール（メタ）アクリレート、２−ヒドロキシエチル（メタ）アクリレート及びその水酸基の一置換エステル、２−ヒドロキシプロピル（メタ）アクリレート及びその水酸基の一置換エステル、２−ヒドロキシブチル（メタ）アクリレート及びその水酸基の一置換エステル、グリセロールモノ（メタ）アクリレート、ポリプロピレングリコールを側鎖とする（メタ）アクリレート、２−メトキシエチル（メタ）アクリレート、２−エトキシエチル（メタ）アクリレート、メトキシジエチレングリコール（メタ）アクリレート、エトキシジエチレングリコール （メタ）アクリレート、エトキシポリエチレングリコール（メタ）アクリレート等が挙げられる。また、アルキレングリコール残基の平均繰り返し数が５以上９０以下であることが好ましい。
アルキレングリコール残基の平均繰り返し数が上記範囲であることにより、合成時に優れた操作性（ハンドリング）を有する。
本実施形態の非特異的吸着抑制物質としては、上記アルキレングリコール残基を有するモノマーのいずれかの末端に、前記固定化基を導入して用いればよい。
【００６８】
スルホアルキルアミノ基を有する単量体としては、例えば、Ｎ−メチル−Ｎ−（３−スルホプロピル）アクリルアミド、３−（Ｎ，Ｎ−ジメチルミリスチルアンモニオ）プロパンスルホン酸（３−（Ｎ，Ｎ−Ｄｉｍｅｔｈｙｌｍｙｒｉｓｔｙｌａｍｍｏｎｉｏ）ｐｒｏｐａｎｅｓｕｌｆｏｎａｔｅ、ＳＢ３−１４、ミリスチルスルホベタイン）等が挙げられる。本実施形態の非特異的吸着抑制物質としては、これらのスルホ基とは反対側の末端に前記固定化基を導入して用いればよい。
【００６９】
前記生体親和性基を有する単量体に、前記固定化基を導入する方法としては、導入したい固定化の種類に応じて、公知の方法を用いて行えばよい。例えば、固定化基がチオール基である場合、前記生体親和性基を有する単量体のうち、固定化基を導入したい炭素に結合している水素のうち少なくとも一つをハロゲン原子（例えば、塩素、臭素、ヨウ素等）に置換し、次いでアルカリ存在下で硫化水素を反応させることにより、チオール基を導入することができる。
又は、上述の＜＜保護膜における親和性物質の固定化方法＞＞で例示されたシランカップリング剤又はホスホコリン誘導体に、公知の方法を用いて、前記生体親和性基を導入して用いてもよい。
【００７０】
本実施形態の非特異的吸着抑制物質としてより具体的には、例えば、スルホベタインタイプのアルカンチオールである３−［（１１−Ｍｅｒｃａｐｔｏｕｎｄｅｃｙｌ）−Ｎ，Ｎ−ｄｉｍｅｔｈｙｌａｍｍｏｎｉｏ］  ｐｒｏｐａｎｅｓｕｌｆｏｎａｔｅ等が挙げられる。
【００７１】
＜＜吸着防止膜における非特異的吸着抑制物質の固定化方法＞＞
吸着防止膜表面における非特異的吸着抑制物質の固定化方法としては、例えば、吸着防止膜の構成材料が貴金属である場合、固定化基としてチオール基、イソチオシアネート基又はジスルフィド基を有する非特異的吸着抑制物質を用いればよく、該固定化基と貴金属表面とがチオレート結合を形成し、非特異的吸着抑制物質を固定化することができる。
【００７２】
また、吸着防止膜の構成材料が酸化物である場合、固定化基としてアルコキシシラン基又はホスホン酸基を有する非特異的吸着抑制物質を用いればよく、該固定化基と酸化物表面とがエーテル結合を形成し、非特異的吸着抑制物質を固定化することができる。
【００７３】
より具体的な吸着防止膜表面への非特異的吸着抑制物質の固定化方法については、吸着防止膜の構成材料によって、公知の方法に従って当業者が決定できる。例えば、非特異的吸着抑制物質を含有する溶液を、吸着防止膜に接触させる方法等が挙げられる。
例えば、保護膜を構成する材料が酸化物であり、アルコキシシラン基を有する非特異的吸着抑制物質を固定化する場合には、吸着防止膜表面が、非特異的吸着抑制物質をｐＨ７．０以上１０．０以下の一般的な緩衝液に混合した溶液に接触する状態で所定時間インキュベートすることにより、エーテル結合を介して、非特異的吸着抑制物質を吸着防止膜表面に固定化することができる。該緩衝液としては、例えば、リン酸緩衝液、トリス緩衝液等が挙げられる。
【００７４】
○その他構成
・電極端子
電極端子は、磁気抵抗効果素子と同一平面に配置されていてもよく、異なる平面に配置されていてもよい。電極端子は、磁気抵抗効果素子と接触することで接続されており、磁気抵抗効果素子の抵抗変化を出力として外部に取り出すことができる。また、電極端子が磁気抵抗効果素子と異なる平面に配置されている場合、磁気抵抗効果素子の直上に配置され、磁気抵抗素子と接触することで接続されていてもよく（図１参照。）、又は磁気抵抗効果素子の直下に配置され、磁気抵抗素子と接触することで接続されていてもよい。電極端子の材料としては、例えばＡｕ、Ａｌ、Ａｇ、Ｃｕ等の導体金属やこれらの合金等が好ましい。
【００７５】
・絶縁層
基板が導電性材料の場合、基板の主面には絶縁層が形成されており、基板を経由した電気的短絡を防止できる。絶縁層の材料としては、例えばアルミナ、窒化アルミ、酸化シリコン、窒化シリコン等の無機物や、ポリイミド等の有機物が好ましい。
【００７６】
・印加磁界及び検出磁界
生体分子を介して保護膜上に磁気ビーズが集積し、図２に示すように、横向きに磁界（印加磁界）を印加したときに、検出磁界（浮遊磁界）が磁気抵抗効果素子に入力される。印加磁界の方向としては、磁気抵抗効果素子の主面に対して交差する方向であることが好ましい。印加磁界としては、特に限定されないが、０．１ｍテスラ以上１００ｍテスラ以下が好ましく、１ｍテスラ以上１０ｍテスラ以下がより好ましい。
【００７７】
検出磁界（浮遊磁界）は、保護膜を介して磁気抵抗効果素子の主面上を占める磁気ビーズの割合によって影響を受ける。保護膜に集積する磁気ビーズの数が多いほど、検出される抵抗値が変化する。保護膜に集積する磁気ビーズの数と浮遊磁界を介して検出される抵抗値は、線形相関している。
そして、磁気ビーズが備える第二の親和性物質の力価（例えば、第二の親和性物質が捕捉する生体分子の分子数）をもとに、保護膜上に集積した生体分子全体の分子数を算出することができる。
すなわち、本実施形態のバイオセンサによれば、試料中に含まれている生体分子の分子数を算出できる。このように、本実施形態のバイオセンサにおいては、試料中の生体分子の定量性を高精度に確保できる。
また、本実施形態のバイオセンサは、高感度であり、数十ナノテスラまで検出可能である。具体的には、磁気ビーズ１５００個に対して１０個の増減を検出できる。すなわち約０．５％の変化を検出可能である。
さらに、本実施形態のバイオセンサは、磁気ビーズを用いるため、蛍光と比べて高感度で寿命も長い。従って、ＥＬＩＳＡ等の検出手段と比較して格段に優れている。
【００７８】
◇バイオセンサの製造方法
本実施形態のバイオセンサは、上述の各構成を対応する位置関係となるように、公知の方法を用いて、順次積層することで製造できる。
【００７９】
また、保護膜における親和性物質の固定化方法については、上述の＜＜保護膜における親和性物質の固定化方法＞＞に記載のとおりである。
【００８０】
また、吸着防止膜における非特異的吸着抑制物質の固定化方法については、上述の＜＜吸着防止膜における非特異的吸着抑制物質の固定化方法＞＞に記載のとおりである。
【００８１】
◇バイオセンサの使用方法
◎生体分子の検出方法
本実施形態のバイオセンサは、例えば、以下に示す生体分子の検出方法に使用できる。
まず、生体分子を含有する試料を保護膜に接触させて、前記生体分子を前記第一の親和性物質を介して前記保護膜上に集積させる（工程１）。次いで、磁気ビーズを前記保護膜に接触させて、前記生体分子を介して前記保護膜上に集積させる（工程２）。次いで、磁気抵抗効果素子の主面と交差する方向に磁界を印加して、検出磁界を前記磁気抵抗効果素子に入力させ、抵抗値を検出する（工程３）。
各工程について詳細に説明する。
【００８２】
［工程１］
工程１は、生体分子を含有する試料を保護膜に接触させて、生体分子を第一の親和性物質を介して前記保護膜上に集積させる工程である。簡便である等の観点から、バイオセンサはマイクロ流体デバイス中で用いられることが好ましい。工程１において、まずマイクロ流路中に生体分子を含有する試料を流す。試料としては、検出対象の生体分子を含有するものであれば、特に限定されない。試料としては、例えば、本実施形態の生体分子の検出方法を疾患の診断に用いる場合には、疾患の発症が確認されている者、若しくは疾患の発症が疑われている者、又は疾患に対する治療を受けている患者等の被検者由来の試料等が挙げられる。試料として、より具体的には、上述の「○保護膜」で例示されたものと同様のものが挙げられる。
例えば、血中循環腫瘍細胞の表面に存在する抗原、受容体等のペプチド・タンパク質を検出対象にする場合には、マイクロ流路中に試料をそのまま流してもよい。例えば、ｍｉＲＮＡは、がん、心血管疾患、神経変性疾患、精神疾患、慢性炎症性疾患等の発症と進行に関わることが報告されている。ｍｉＲＮＡをはじめとして、ゲノムＤＮＡ、ｃＤＮＡ、Ｔｏｔａｌ  ＲＮＡ、ｍＲＮＡ、ｒＲＮＡ等の核酸を検出対象とする場合には、前記生体試料から核酸を抽出することが好ましい。抽出方法は、核酸の種類に応じて定法から適宜選択される。
【００８３】
マイクロ流路中を流れる試料中の生体分子は、保護膜上の第一の親和性物質に捕捉され、保護膜上に集積する。第一の親和性物質としては、上述した通り、核酸、抗体等が挙げられる。生体分子は、ハイブリダイゼーション、抗原抗体反応等により、保護膜上で、第一の親和性物質と複合体を形成する。
【００８４】
保護膜上に第一の親和性物質−生体分子複合体が形成された後、保護膜を、緩衝液等を用いて洗浄することが好ましい。洗浄により、保護膜上に非特異的に結合している夾雑物を除去することができ、生体分子の検出精度を向上させることができる。該緩衝液としては、例えば、リン酸緩衝液、トリス緩衝液等が挙げられる。
【００８５】
［工程２］
工程２は、磁気ビーズを保護膜に接触させて、生体分子を介して前記保護膜上に集積させる工程である。上述した通り、磁気ビーズは、生体分子を捕捉する第二の親和性物質を備えている。例えば、マイクロ流路中を磁気ビーズが流れ、保護膜と接触した場合、保護膜上に形成されている第一の親和性物質−生体分子複合体中の生体分子と、第二の親和性物質を介して結合する。工程２により、保護膜上に第一の親和性物質−生体分子−第二の親和性物質複合体が形成される。すなわち、第二の親和性物質を備えた磁気ビーズが保護膜上に集積する。
【００８６】
保護膜上に第一の親和性物質−生体分子−第二の親和性物質複合体が形成された後、工程１と同様に保護膜を、緩衝液等を用いて洗浄することが好ましい。洗浄により、保護膜上に非特異的に結合している磁気ビーズを除去することができ、生体分子の検出精度を向上させることができる。該緩衝液としては、［工程１］において例示されたものと同様のものが挙げられる。
【００８７】
［工程３］
工程３は、前記磁気抵抗効果素子の主面と交差する方向に磁界を印加して、検出磁界を前記磁気抵抗効果素子に入力させ、抵抗値を検出する工程である。
検出磁界（浮遊磁界）は、保護膜を介して磁気抵抗効果素子の主面上を占める磁気ビーズの割合によって影響を受ける。保護膜に集積する磁気ビーズの数が多いほど、検出される抵抗値が増加する。
工程３により、保護膜上に集積した磁気ビーズの数を正確に定量することができる。そして、磁気ビーズが備える第二の親和性物質の力価（例えば、第二の親和性物質が捕捉する生体分子の分子数）をもとに、保護膜上に集積した生体分子全体の分子数を算出することができる。すなわち、本実施形態の検出方法によれば、試料中に含まれている生体分子の分子数を算出できる。そのため、試料中の生体分子の分子数と病状に正の相関がみられる場合には、試料中の生体分子の分子数を遂次算出することにより、病状の経過観察をすることができる。
このように、本実施形態の検出方法においては、試料中の生体分子の定量性を確保できる。
【００８８】
本実施形態のバイオセンサの他の使用例として、以下に示す生体分子の検出方法に使用してもよい。
まず、生体分子を含有する試料と磁気ビーズとを混合し、第二の親和性物質を介し磁気ビーズに生体分子を捕捉させる（工程４）。次いで、生体分子を捕捉した磁気ビーズを保護膜に接触させて、前記生体分子を介して、前記磁気ビーズを前記保護膜上に集積させる（工程５）。次いで、前記磁気抵抗効果素子と交差する方向に磁界を印加して、検出磁界を前記磁気抵抗効果素子に入力させ、抵抗値を検出する（工程３）。
第一の親和性物質−生体分子−第二の親和性物質複合体を形成させる際に、生体分子−第二の親和性物質複合体を先に形成させること以外は、上述の［工程１］〜［工程３］を備える生体分子の検出方法と同様であるため、説明を省略する。
【００８９】
◎バイオチップ
本実施形態のバイオセンサは、バイオチップに応用することができる。
本実施形態のバイオチップは、保護膜上に備える第一の親和性物質が異なるバイオセンサを複数備えることにより、試料の有する性質を網羅的に解析することができる。
前記バイオチップとしては、例えば、がん診断用バイオチップ、がん腫別診断用バイオチップ、インフルエンザウイルス検出用バイオチップ等が挙げられる。
【００９０】
○がん診断用バイオチップ
保護膜上に備える第一の親和性物質としては、がん遺伝子又はがん抑制遺伝子由来の核酸に相補的な核酸が挙げられる。がん遺伝子又はがん抑制遺伝子に、がん患者特有の変異が存在する場合には、係る変異を含む核酸に相補的な核酸が好ましい。
がん遺伝子としては、ｓｉｓ等の増殖因子をコードする遺伝子群；ｅｒｂＢ、ｆｍｓ、ｒｅｔ等のレセプター型チロシンキナーゼをコードする遺伝子群；ｆｅｓ等の非レセプター型チロシンキナーゼをコードする遺伝子群；ｒａｓ等のＧＴＰ／ＧＤＰ結合タンパク質をコードする遺伝子群；ｓｒｃ、ｍｏｓ、ｒａｆ等のセリン／スレオニンキナーゼをコードする遺伝子群；ｍｙｃ、ｍｙｂ、ｆｏｓ、ｊｕｎ、ｅｒｂＡ等の核内タンパク質をコードする遺伝子群；ｃｒｋ等のシグナル伝達アダプター分子をコードする遺伝子群；Ｂｃｒ−Ａｂｌ等の融合遺伝子が挙げられる。
さらに、がん遺伝子として、Ｓｈｃ、Ｇｒｂ２、Ｓｏｓ、ＭＥＫ、Ｒｈｏ、Ｒａｃ遺伝子等のＲａｓ−ＭＡＰキナーゼ経路関連遺伝子；ＰＬＣγ、ＰＫＣ等のホスホリパーゼＣガンマ-プロテインキナーゼＣ経路関連遺伝子；ＰＩ３Ｋ、Ａｋt、Ｂａｄ等のＰＩ３Ｋ−Ａｋt経路関連遺伝子；ＪＡＫ、ＳＴＡＴ等のＪＡＫ−ＳＴＡＴ経路関連遺伝子；ＧＡＰ、ｐ１８０、ｐ６２等のＧＡＰ系経路関連遺伝子が挙げられる。
【００９１】
がん抑制遺伝子としては、ＲＢ、ｐ５３、ＷＴ１、ＮＦ１、ＡＰＣ、ＶＨＬ、ＮＦ２、ｐ１６、ｐ１９、ＢＲＣＡ１、ＢＲＣＡ２、ＰＴＥＮ、Ｅカドヘリン遺伝子等が挙げられる。
【００９２】
また、第一の親和性物質として上述した遺伝子の遺伝産物であるタンパク質を捕捉するもの、例えば、抗体（抗体断片も含む）、アプタマー、リガンド、受容体等であってもよい。
【００９３】
○がんの種類別診断用バイオチップ
本実施形態のバイオチップにおいて、保護膜上に備える第一の親和性物質としては、１種類のがんから抽出される複数の核酸に相補的な核酸であってもよい。すなわち、本実施形態のバイオチップはがんの種類別診断用バイオチップであってもよい。
【００９４】
対象となるガンとしては、特別な限定はなく、例えば、乳がん（例えば、浸潤性乳管がん、非浸潤性乳管がん、炎症性乳がん等）、前立腺がん（例えば、ホルモン依存性前立腺がん、ホルモン非依存性前立腺がん等）、膵がん（例えば、膵管がん等）、胃がん（例えば、乳頭腺がん、粘液性腺がん、腺扁平上皮がん等）、肺がん（例えば、非小細胞肺がん、小細胞肺がん、悪性中皮腫等）、結腸がん（例えば、消化管間質腫瘍等）、直腸がん（例えば、消化管間質腫瘍等）、大腸がん（例えば、家族性大腸がん、遺伝性非ポリポーシス大腸がん、消化管間質腫瘍等）、小腸がん（例えば、非ホジキンリンパ腫、消化管間質腫瘍等）、食道がん、十二指腸がん、舌がん、咽頭がん（例えば、上咽頭がん、中咽頭がん、下咽頭がん等）、頭頚部がん、唾液腺がん、脳腫瘍（例えば、松果体星細胞腫瘍、毛様細胞性星細胞腫、びまん性星細胞腫、退形成性星細胞腫等）、神経鞘腫、肝臓がん（例えば、原発性肝がん、肝外胆管がん等）、腎臓がん（例えば、腎細胞がん、腎盂と尿管の移行上皮がん等）、胆嚢がん、胆管がん、膵臓がん、肝がん、子宮内膜がん、子宮頸がん、卵巣がん（例、上皮性卵巣がん、性腺外胚細胞腫瘍、卵巣性胚細胞腫瘍、卵巣低悪性度腫瘍等）、膀胱がん、尿道がん、皮膚がん（例えば、眼内（眼）黒色腫、メルケル細胞がん等）、血管腫、悪性リンパ腫（例えば、細網肉腫、リンパ肉腫、ホジキン病等）、メラノーマ（悪性黒色腫）、甲状腺がん（例えば、甲状腺髄様がん等）、副甲状腺がん、鼻腔がん、副鼻腔がん、骨腫瘍（例えば、骨肉腫、ユーイング腫瘍、子宮肉腫、軟部組織肉腫等）、転移性髄芽腫、血管線維腫、隆起性皮膚線維肉腫、網膜肉腫、陰茎癌、精巣腫瘍、小児固形がん（例えば、ウィルムス腫瘍、小児腎腫瘍等）、カポジ肉腫、ＡＩＤＳに起因するカポジ肉腫、上顎洞腫瘍、線維性組織球腫、平滑筋肉腫、横紋筋肉腫、慢性骨髄増殖性疾患、白血病（例えば、急性骨髄性白血病、急性リンパ芽球性白血病等）等が挙げられ、これらに限定されない。
【００９５】
上述したがん遺伝子及びがん抑制遺伝子をはじめとして、がんの種類によって特異的な遺伝子の発現／変異パターンが存在することが報告されている。そのため、がんの種類ごとの遺伝子発現プロファイル等に基づいて、本実施形態のバイオチップを作製することにより、診断の精度を高めることができる。
【００９６】
また、本実施形態のバイオチップを用いれば、抗がん剤の感受性／耐性の予測をすることができる。例えば、ＥＧＦＲ阻害剤であるゲフィニチブの場合、被検サンプル中のＥＧＦＲがＬ８５８Ｒ変異又はＧ７１９Ｘ変異を有している場合には、ゲフィニチブ感受性を示すことが報告されている。
一方、被検サンプル中のＥＧＦＲがＴ７９０Ｍ変異及び／又はＤ７６１Ｙ変異を有している場合には、ゲフィニチブ耐性を示すことが報告されている。また、ゲフィニチブ耐性を示すこれらの変異は、病期が進むにつれて検出される頻度が高くなることが報告されている。本実施形態のバイオチップは、耐性変異を示すＥＧＲＦ遺伝子を容易に定量することができることから、本実施形態のバイオチップによれば、がんの進行度を調べることもできる。
【００９７】
○インフルエンザウイルス検出バイオチップ
また、本実施形態のバイオチップにおいて、保護膜上に備える第一の親和性物質としては、インフルエンザウイルス由来の核酸に相補的な核酸、又はインフルエンザウイルスが特異的に結合する糖鎖であってもよい。すなわち、本実施形態のバイオチップはインフルエンザウイルス検出用バイオチップであってもよい。
【００９８】
本実施形態のバイオチップとしては、例えば、Ａ型、Ｂ型、Ｃ型それぞれのゲノムにおいて、報告されている変異をはじめとするあらゆる変異部位を認識する核酸を保護膜上に固定したものが挙げられる。また、第一の親和性物質としては、Ａ型、Ｂ型、及びＣ型ウイルスのそれぞれを特異的に認識可能な抗体であってもよい。また、インフルエンザウイルスは、細胞に感染する際にシアル酸残基に結合することが知られており、ウイルスの種類によって、ウイルスが結合し得るシアル酸と糖との結合の様式が異なるため、第一の親和性物質としては、Ａ型、Ｂ型、及びＣ型ウイルスのそれぞれが結合するシアル酸含有糖鎖であってもよい。
なお、本明細書において、「シアル酸（ｓｉａｌｉｃ  ａｃｉｄ）」とは、９炭糖であるノイラミン酸（ｎｅｕｒａｍｉｎｉｃ  ａｃｉｄ）のアミノ基やヒドロキシ基が置換された物質の総称を意味し、例えば、５位がアセチル化されたＮ−アセチルノイラミン酸（Ｎｅｕ５Ａｃ）や、グリコール酸で修飾されたＮ−グライコリルノイラミン酸（Ｎｅｕ５Ｇｃ）が挙げられる。
【００９９】
本実施形態のバイオチップによれば、インフルエンザウイルスの感染を早期に発見することができる。
さらに、本実施形態のバイオチップを経時的に用いることにより、ウイルス感染後の病状の経過観察をすることができる。
【産業上の利用可能性】
【０１００】
上述の実施形態によれば、ミアンダ構造の磁気抵抗効果素子の細線上及び細線間の両方に磁気ビーズが存在することによる測定誤差が回避され、高精度に試料中の生体分子を検出することができる。また、本実施形態のバイオセンサをバイオチップとして利用することにより、簡便且つ迅速に診断することができ、例えば、がん診断、がんの種類別診断、がんの進行度診断、インフルエンザウイルスの検出、インフルエンザウイルスの種類の特定、インフルエンザの病状観察等に応用可能である。
【符号の説明】
【０１０１】
１１，１０１…基板、１２，１０２…磁気抵抗効果素子、１４，１０４…磁気ビーズ、１５，１０５…印加磁界、１６…吸着防止膜、１７，１０７…保護膜、１９…親和性物質、１０９…生体分子捕捉層、２０…第２の保護膜、２１，１１２…電極端子、１１１…浮遊磁界、１００，２００，３００，４００，５００…バイオセンサ、Ａ…第１の領域、Ｂ…第２の領域、ａ…第１の平面、ｂ…第２の平面。
【図１】
2017170236.tif 000003
【図２】
2017170236.tif 000004
【図３】
2017170236.tif 000005
【図４】
2017170236.tif 000006
【図５】
2017170236.tif 000007
【図６】
2017170236.tif 000008
【図７】
2017170236.tif 000009
【国際調査報告】
2017170236.tif 000010
2017170236.tif 000011
2017170236.tif 000012
2017170236.tif 000013